【手続補正書】
【提出日】平成19年5月17日(2007.5.17)
【手続補正１】
【補正対象書類名】明細書
【補正対象項目名】特許請求の範囲
【補正方法】変更
【補正の内容】
【特許請求の範囲】
【請求項１】  可変次数誤り符号化方法であって、
ａ）それぞれ異なる対応の生成コードをもつ複数のエラープロテクションレベルからいずれかを選択するステップと、
ｂ）第１の局において符号化メッセージを作成するために、選択されたエラープロテクションレベルに対応する生成コードを用いてデータメッセージをＣＲＣ符号化するステップと、
ｃ）前記符号化メッセージを前記第１の局から第２の局へ送信するステップと、
ｄ）前記第２の局において、第１の結果を生成するために第１の生成コードを用いて前記符号化メッセージをＣＲＣ復号し、第２の結果を生成するために第２の生成コードを用いて前記符号化メッセージをＣＲＣ復号するステップと、
ｅ）前記第２の局において、前記第１および第２の結果に基づいて選択されたエラープロテクションレベルを判別するステップ
を含む符号化方法。
【請求項２】  判別したエラープロテクションレベルに基づいて前記第２の局で前記データメッセージを処理するステップを含む請求項１記載の方法。
【請求項３】  符号化メッセージを生成するために第１の局でデータメッセージを符号化する前記ステップにおいて、前記送信の前に前記符号化メッセージのあいまいさを検査するステップを含む請求項１記載の方法。
【請求項４】  前記符号化メッセージのあいまいさを検査する前記ステップにおいて、選択されていないエラープロテクションレベルに対応する生成コードを用いて前記符号化メッセージをＣＲＣ復号するステップを含む請求項３記載の方法。
【請求項５】  前記符号化メッセージのあいまいさを検査する前記ステップにおいて、選択されていないエラープロテクションレベルに対応する生成コードを用いて前記データメッセージをＣＲＣ復号するステップを含む請求項３記載の方法。
【請求項６】  更に、あいまいさが検出された場合、前記送信の前に前記符号化メッセージを変更するステップを含む請求項３記載の方法。
【請求項７】  前記符号化メッセージの生成に前記第１または第２の生成コードが用いられた場合、前記変更ステップにおいて第１または第２の多項式と前記符号化メッセージとのＸＯＲ加算を演算するステップを含む請求項６記載の方法。
【請求項８】  前記第１の結果と前記第２の結果が共に非ゼロの場合、選択されたエラープロテクションレベルを判別する前記ステップが、拡張符号化メッセージを生成するために前記符号化メッセージを変更するステップを含む請求項１記載の方法。
【請求項９】  前記メッセージ変更ステップにおいて、
ａ）第１候補の拡張メッセージを生成するために第１の多項式と前記符号化メッセージとのＸＯＲ加算を演算した後、第３の結果を生成するために前記第１の生成コードを用いて前記第１候補の拡張メッセージをＣＲＣ復号するステップと、
ｂ）第２候補の拡張メッセージを生成するために第２の多項式と前記符号化メッセージとのＸＯＲ加算を演算した後、第４の結果を生成するために前記第１の生成コードを用いて前記第２候補の拡張メッセージをＣＲＣ復号するステップと、
ｃ）前記３の結果および前記第４の結果に基づいて前記拡張符号化メッセージを生成するステップ
を含む請求項８記載の方法。
【請求項１０】  第２のチャンネルデータまたは冗長情報を随意に保持する可変部を前記符号化メッセージに含み、更に、前記第２の局で判別された選択されたエラープロテクションレベルに基づいて前記可変部を処理するステップを含む請求項１記載の方法。
【請求項１１】  前記第２の生成コードの次数が前記第１の生成コードの次数より低い請求項１記載の方法。
【請求項１２】  前記符号化メッセージを送信する前記ステップにおいて、前記符号化メッセージを含む固定フレーム長のフレームを送信するステップを含む請求項１記載の方法。
【請求項１３】  前記符号化メッセージを送信する前記ステップにおいて、どの生成コードが選択されているかに応じてフレーム長が変化するフレームであって前記符号化メッセージを含むフレームを送信するステップを含む請求項１記載の方法。
【請求項１４】  巡回冗長検査（ＣＲＣ）エラー符号化によって生成された通信メッセージを復号する方法であって、
ａ）メッセージ部および冗長部を含む一定フレーム長のフレームを受信局で受信するステップであって、
ｉ）  前記メッセージ部がメッセージ特性をもち、
ｉｉ）  前記冗長部が主冗長データを含み、
ｉｉｉ）  前記メッセージの特性が第１の値であるとき、前記符号化メッセージが第１の生成コードによってＣＲＣ符号化され、
ｉｖ）  前記メッセージの特性が第２の値であるとき、前記符号化メッセージが前記第１の生成コードとは異なる第２の生成コードによってＣＲＣ符号化される
ものとしたステップと、
ｂ）前記受信局において、第１の結果を生成するために前記第１の生成コードによって前記フレームをＣＲＣ復号し、第２の結果を生成するために前記第２の生成コードによって前記フレームをＣＲＣ復号するステップと、
ｃ）どの生成コードを用いて前記フレームを生成されたかを前記第１、第２の結果に基づいて前記第２の局で判別し、更に、前記判別結果に基づいて前記メッセージ部を処理するステップ
を含む方法。
【請求項１５】  前記メッセージの特性を前記メッセージ部の長さとする請求項１４記載の方法。
【請求項１６】  前記メッセージ部が音声情報を含むか否かを前記メッセージの特性で示す請求項１４記載の方法。
【請求項１７】  前記第２の生成コードと前記第１の生成コードが同じ次数である請求項１４記載の方法。
【請求項１８】  前記フレーム長が固定された請求項１４記載の方法。
【請求項１９】  前記フレーム長が前記メッセージ部の長さに応じて変化する請求項１４記載の方法。
【請求項２０】  前記メッセージ部の符号化に用いられた前記生成コードの長さに応じて前記フレーム長が変化する請求項１４記載の方法。
【請求項２１】  巡回冗長検査（ＣＲＣ）エラー符号化を用いた固定フレームをもった第１のチャンネルに隨意に埋め込まれた第２のチャンネルを検出する方法であって、
ａ）少なくとも第１のチャンネルデータと隨意に第２のチャンネルデータを含み、互いに異なる対応の生成コードをもつ少なくとも第１および第２のエラープロテクションレベルから選択されたエラープロテクションレベルをもつ符号化メッセージを第２の局が第１の局から受信するステップと、
ｂ）前記第２の局において、認められたエラープロテクションレベルに対応する少なくとも２つの生成コードを用いて前記符号化メッセージをＣＲＣ復号することによって、選択されているエラープロテクションレベルを判別するステップと、
ｃ）前記第１、第２のエラープロテクションレベルのいずれが用いられたかを前記第２の局が判別した結果に基づいて前記第２のチャンネルの有無を確認するステップ
を含む方法。
【請求項２２】  選択されているエラープロテクションレベルを判別する前記ステップにおいて、第１の結果を生成するために第１の生成コードを用いて前記符号化メッセージを復号し、第２の結果を生成するために第２の生成コードを用いて前記符号化メッセージをＣＲＣ復号するステップを含む請求項２１記載の方法。
【請求項２３】  選択されているエラープロテクションレベルを判別する前記ステップにおいて、前記第１の結果と前記第２の結果が共に非ゼロの場合に拡張符号化メッセージを生成するために前記符号化メッセージを変更するステップを含む請求項２２記載の方法。
【請求項２４】  前記メッセージ変更ステップにおいて、
ａ）第１候補の拡張メッセージを生成するために第１の多項式と前記符号化メッセージとのＸＯＲを演算した後、第３の結果を生成するために前記第１の生成コードを用いて前記第１候補の拡張メッセージをＣＲＣ復号するステップと、
ｂ）第２候補の拡張メッセージを生成するために第２の多項式と前記符号化メッセージとのＸＯＲを演算した後、第４の結果を生成するために前記第１の生成コードを用いて前記第２候補の拡張メッセージをＣＲＣ復号するステップと、
ｃ）前記３および第４の結果に基づいて前記拡張符号化メッセージを生成するステップ
を含む請求項２３記載の方法。
【請求項２５】  第２のチャンネルデータか冗長情報のいずれかを保持する可変部を前記符号化メッセージに含み、更に、前記第２の局で判別された選択されたエラープロテクションレベルに基づいて前記可変部を処理するステップを含む請求項２１記載の方法。
【請求項２６】  更に、
ａ）それぞれ異なる対応の生成コードをもつ複数のエラープロテクションレベルからいずれかを選択するステップと、
ｂ）前記第１の局において符号化メッセージを作成するために，選択されたエラープロテクションレベルに対応する生成コードを用いてデータメッセージをＣＲＣ符号化するステップと、
ｃ）前記符号化メッセージを前記第１の局から前記第２の局へ送信するステップ
を含む請求項２１記載の方法。
【請求項２７】  符号化メッセージを生成するために前記第１の局でデータメッセージを符号化する前記ステップにおいて、前記送信の前に前記符号化メッセージのあいまいさを検査するステップと、更に、あいまいさが検出された場合、前記送信の前に前記符号化メッセージを変更するステップとを含む請求項２６記載の方法。
【請求項２８】  前記符号化メッセージの生成に前記第１または第２の生成コードが用いられた場合、前記メッセージ変更ステップにおいて第１または第２の多項式と前記符号化メッセージとのＸＯＲを演算するステップを含む請求項２７記載の方法。
【請求項２９】  巡回冗長検査（ＣＲＣ）エラー符号化を用いて第１のチャンネル上に選択的に重畳された第２のチャンネルを検出する方法であって、
ａ）第１の局において、少なくとも第１と第２の互いに異なる生成コードから選択された生成コードを用いてＣＲＣ符号化することによって、少なくとも第１のチャンネルデータと隨意に第２のチャンネルデータを含む符号化メッセージを生成するステップであって、前記符号化メッセージが前記第２のチャンネルデータを含まない場合には前記第１の生成コードが選択され、前記符号化メッセージが前記第２のチャンネルデータを含む場合には前記第２の生成コードが選択されるものとした前記ステップと、
ｂ）第２の局において前記符号化メッセージを受信するステップと、
ｃ）前記第２の局において、前記第１の生成コードを用いて前記符号化メッセージをＣＲＣ復号すると共に、前記第２の生成コードを用いて前記符号化メッセージをＣＲＣ復号するステップと、
ｄ）前記符号化メッセージの生成に前記第２の生成コードが用いられたことがステップｃの前記ＣＲＣ復号によって確認されたとき、前記第２のチャンネルデータを処理するステップ
を含む方法。